(57)【特許請求の範囲】
【請求項１】
ＡＴＭ網とフレームリレー網とＩＳＤＮ網とに接続される経路選択型通信装置において、各網に対応のクライアントから送出されたデータ（以下、クライアントデータという。）のメディア種別を発呼要求に基づいて識別し、前記クライアントデータをメディア種別に応じて送出先を決定する振分制御部と、振分制御部が接続要求する網のトラヒック状態を検出し、その結果輻輳なしと確認された場合に当該網に接続される対向局とのネゴシエーションによりパスの設定情報を決定し、このパスの設定情報を前記振分制御部に通知するネットワーク管理部と、ＡＴＭ網と当該網に対応するクライアントを相互接続するセルスイッチとフレームリレー網と当該網に対応するクライアントを相互接続するパケットスイッチとＩＳＤＮ網と当該網に対応するクライアントを相互接続するＴＤＭスイッチと前記パスの設定情報がＡＴＭ網に対応するクライアントとフレームリレー網とのパス設定を示す場合にＡＴＭセルとパケットデータを相互に変換するセル／パケット変換回路と前記パスの設定情報がＡＴＭ網に対応するクライアントとＩＳＤＮ網とのパス設定を示す場合にＡＴＭセルとＴＤＭデータを相互に変換するセル／ＴＤＭ変換回路と前記パスの設定情報がフレームリレー網に対応するクライアントとＩＳＤＮ網のパス設定を示す場合にパケットデータとＴＤＭデータを相互に変換するパケット／ＴＤＭ変換回路とを備え、前記クライアントデータを前記パスの設定情報に基づいてパス接続を実行する振分部とを有することを特徴とする経路選択型通信装置。
【発明の詳細な説明】
【０００１】
【発明の属する技術分野】
本発明は、各種端末のクライアント（以下、ＣＬＩ）を収容し、ルーティング情報やＬＣＲ情報等に基づき伝送路の接続経路を選択できる経路選択型通信装置に関する。
【０００２】
【従来の技術】
従来この種の技術として、パケット信号、フレームリレー信号及びＡＴＭセルを一元的に扱う技術として特開平６−３５０６５１号公報がある。
【０００３】
この公報では、ＶＰＩ／ＶＣＩを用いて経路選択が行われるＡＴＭ固定長セルを受けるＡＴＭ固定長セルインタフェース部と、可変長フレーム信号を受けＶＰＩ／ＶＣＩをセルヘッダ情報として可変長フレーム信号に付加する可変長フレームインタフェース部と、ＶＰＩ／ＶＣＩに基づいて通信処理を行う通信処理部とを備えたハイブリッド型通信処理装置が記載されている。可変長フレームインタフェース部では可変長フレーム信号にＶＰＩ／ＶＣＩを付加し、通信処理部ではＡＴＭ固定長セル及び可変長フレーム信号ともにＶＰＩ／ＶＣＩに基づいて通信処理を行う。
【０００４】
この公報について簡単に説明すると、ＡＴＭ固定長セルインタフェース部と可変長フレームインタフェースを有しており、ハイブリッド型通信処理装置内では、非ＡＴＭインタフェースデータに共通のＡＴＭのセルヘッダを付加する（基本的フォーマットを同一にする）ことで、通信処理部の機能を簡素化している。
【０００５】
具体的には、ＡＴＭ固定長セルインタフェース部は、セル終端回路でＡＴＭ固定長セルに対して同期処理とヘッダ変換処理を行い、その後通信処理部に送出する機能を有している。その際には、ＡＴＭセルのヘッダに更にポートアドレスを付加している。
【０００６】
ポートアドレスは、各インタフェース部を認識するためのアドレス番号であり、その情報は制御ユニットにより情報が与えられている。
【０００７】
一方、可変長フレームインタフェース部では、フレーム信号を終端した後、ＡＴＭセルヘッダとポートアドレスを付加し同様に通信処理部に送出する。
【０００８】
通信処理部では、ＡＴＭヘッダのルーティング制御機能を有するもので、各インタフェース部に送出されたセルは同報にて他のインタフェース部に通知される。
【０００９】
そして、各インタフェースがそのセルを受信する場合は、予めインタフェース部に具備されているアドレスフィルタリング部でフィルタリングされたセルのみがインタフェース内部に入力される動作となっている。
【００１０】
インタフェース回路では、バスより受信したセルのヘッダ処理を行う。固定長セルインタフェース部では、ＶＰＩ／ＶＣＩの除去回路を用いてヘッダを除去しフレーム送信回路にて回線に送信される。
【００１１】
また、他の機能として固定長セル優先機能を有している。この機能は、制御ユニットにより制御され、各インタフェース部がバスにセルを送信する際に固定長セルが優先的にバスに送出できるものである。
【００１２】
更に、固定長セルインタフェース部と可変長セルインタフェース部との間でデータ交換をする際に使用されるセル／フレーム変換トランク部を有し、固定長セルを可変長フレームに、又は逆の処理を行っている。
【００１３】
【発明が解決しようとする課題】
上述のように、このハイブリッド型通信処理装置によると、固定長セルと可変長フレームの変換を行う機能を有することでセル長によらず一元管理を行うことができる。
【００１４】
しかし、固定長セルと可変長セルが同一の通信処理部で処理されるため、この従来技術では、音声セルの伝送に割り当てられた回線に音声セル以外の膨大なバーストデータが混入した場合、音声セルの送出に遅延が生じ受信側で再生時に必要とされる音声データの連続性を保持することが困難となる。また、音声データのＡＴＭセル化に際しては、オーバヘッドの付加を必然的に伴うことから必ずしもＡＴＭ網を経由することが効率的に高速転送できるとは限らない。
【００１５】
さらに、各種ネットワークのトラヒック等を管理する制御機能を有しないため、各種ネットワークインターフェース（以下、ＮＴＩＮＦという）を接続したとしても、パス設定の選択方法には何ら具体性を有しない。
【００１６】
すなわち、この従来技術では、各種インタフェースを収容し各種インタフェース間の相互乗り入れが可能とされるが、データ特性を考慮した入力信号の振り分けとなっていないため、ネットワークリソースやスイッチリソースが効率的に利用することができない。
【００１７】
ここで、各種ネットワークの特性について再度考察すると、ＡＴＭ網では、マルチメディア対応型データで音声や、画像、ＬＡＮデータなどを一元的に扱えるため、長所としてはクライアントの要求に応じてネットワークリソースを提供し、更に保証する機能を有している。しかし、各種データを固定長データに分割するためにヘッダ分だけオーバーヘッドが多くなっている。特に音声では、ネットワークが複数接続されると遅延や揺らぎが発生し音声品質が劣化するおそれがある。
【００１８】
また、パケット網では、そのキャパシティーが大きければ大きいほど大容量データ転送に適している。しかし、バーストトラヒックが高い時に音声などを通すと、音声、画像データの品質が劣化する問題がある。
【００１９】
ＩＳＤＮ網にあっては、音声や画像データを転送するには最適なものであるが、パケットデータなどの大容量データ転送には不向きである。
【００２０】
そこで、本発明の課題は、ネットワークリソース及びスイッチリソースを最大限に有効利用できるようにすることを主要観点として、各種インタフェースの乗り入れを可能とし、更にネットワーク切替の際にデータの遅延を最小限に抑えることのできる経路選択装置を提供することにある。
【００２１】
【課題を解決するための手段】
そこで、本発明では、各種ネットワークが相互に乗り入れする経路選択型装置において、音声などのリアルタイム性を要求されるリアルタイム性データであるか、あるいはＬＡＮなどの遅延が許容される非リアルタイム性データであるかを識別し、メディアの種別に応じてネットワークを振り分けることを特徴とする。
【００２２】
すなわち、本発明によると、ＡＴＭ網とフレームリレー網とＩＳＤＮ網とに接続される通信装置において、各網に対応のクライアントから送出されたデータ（以下、クライアントデータという。）のメディア種別を発呼要求に基づいて識別し、前記クライアントデータをメディア種別に応じて送出先を決定する振分制御部と、振分制御部が接続要求する網のトラヒック状態を検出し、その結果輻輳なしと確認された場合に当該網に接続される対向局とのネゴシエーションによりパスの設定情報を決定し、このパスの設定情報を前記振分制御部に通知するネットワーク管理部と、ＡＴＭ網と当該網に対応するクライアントを相互接続するセルスイッチと、フレームリレー網と当該網に対応するクライアントを相互接続するパケットスイッチと、ＩＳＤＮ網と当該網に対応するクライアントを相互接続するＴＤＭスイッチと、前記パスの設定情報がＡＴＭ網に対応するクライアントとフレームリレー網とのパス設定を示す場合にＡＴＭセルとパケットデータを相互に変換するセル／パケット変換回路と、前記パスの設定情報がＡＴＭ網に対応するクライアントとＩＳＤＮ網とのパス設定を示す場合にＡＴＭセルとＴＤＭデータを相互に変換するセル／ＴＤＭ変換回路と、前記パスの設定情報がフレームリレー網に対応するクライアントとＩＳＤＮ網のパス設定を示す場合にパケットデータとＴＤＭデータを相互に変換するパケット／ＴＤＭ変換回路とを備え、前記クライアントデータを前記パスの設定情報に基づいてパス接続を実行する振分部とを有することを特徴とする経路選択型通信装置を得ることができる。
【００２３】
更に、前記振分制御部によるメディアの識別の結果、音声などのリアルタイム性を要求されるデータである場合は前記クライアントデータの送出先をＡＴＭ網に決定し、ＬＡＮなどの遅延が許容される非リアルタイム性データである場合はＩＳＤＮ網に決定し、パス設定を行うことでネットワークリソースを有効活用できる経路選択型通信装置をも得ることができる。。
【００２４】
【発明の実施の形態】
以下、図面を参照して本発明の実施の形態を説明する。
【００２５】
図１には、各種ネットワーク内に本発明を適用した経路選択型通信装置を取り入れネットワーク間の相互切り換えが可能なネットワークシステムを示す。
【００２６】
経路選択型通信装置１では、各種クライアントを収容するためのＡＴＭクライアントインタフェース（以下、ＡＴＭ−ＣＬＩＮＦという）１０、パケット・クライアントインタフェース（以下、パケット−クライアントインタフェースという）１１、ＩＳＤＮクライアントインタフェース（以下、ＩＳＤＮ−ＣＬＩＮＦという）１２と、振分部３０と、振分制御部３１と、対向局との通信制御を行うネットワーク管理部（以下、ＮＴ管理部という）４０と、各種ネットワークとのインタフェースの役割を果たすＡＴＭネットワークインタフェース（以下、ＡＴＭ−ＮＴＩＮＦという）５０、パケット・ネットワークインタフェース（以下、パケット−ＮＴＩＮＦという）５１、ＩＳＤＮネットワークインタフェース（以下、ＩＳＤＮ−ＮＴＩＮＦという）５２とにより構成される。
【００２７】
まず、経路選択型通信装置１が収容しうるクライアントの種類としては、パーソナルコンピュータやＴＥＬ画像端末等があり、ＡＮＳＩの各協会で標準化が審議されているＬＡＮのアクセス方式を有するＬＡＮ端末や、ＴＨＥ  ＡＴＭ−Ｆｏｒｕｍに準拠したアクセス方式を有するＡＴＭ端末や、更にＩＴＵ−Ｔに準拠するＩＳＤＮ端末等がある。
【００２８】
ここで、本発明を適用した経路選択型通信装置１の特徴とするところは、まず各種クライアントから送出された発呼要求をＣＬＩＮＦにて受信し、振分制御部３１において、クライアントが送出したデータのメディアを識別した後、メディア特性に鑑みなされた優先順位に従い優先度の高いネットワークに送出することにある。図２に、そのフローチャートを示す。ここでは、ネットワークの輻輳確認後に送出先のネットワークを決定している。
【００２９】
更に、クライアントが送出するデータをより効率的に振り分けるべく、メディアの種別に応じてルーティングに最適なネットワークを定義しておき、振分制御部３１にて発呼要求のあったデータのプロトコル確認及びメディアを識別し、最適なネットワークに送出するためのパス設定情報等を内容とするダイナミックルーティング情報を決定し、経路選択型通信装置１が有する各回路の変換動作等を制御するよう構成している。
【００３０】
ダイナミックルーティング情報の決定に際しては、メディアの種別とネットワークの特性を考慮し、図３に示すようにメディアに応じた送出先ネットワークの優先順位を導き出した。
【００３１】
これによると、ＡＴＭクライアントについては、音声セルが入力された場合、ＩＳＤＮ網を第１優先とし、ＡＴＭ網を第２優先とする。それ以外の画像等のデータが入力された場合は、ＡＴＭ網を第１優先とし、フレームリレー網を第２優先とする。
【００３２】
パケットクライアントについては、音声パケットが入力された場合は、ＩＳＤＮ網を第１優先とし、ＡＴＭ網を第２優先とする。画像パケットが入力された場合は、ＡＴＭ網を第１優先とし、フレームリレー網を第２優先とする。それ以外のデータについては、フレームリレー網を第１優先とし、ＡＴＭ網を第２優先とする。
【００３３】
ＩＳＤＮクライアントについては、音声が入力された場合は、ＩＳＤＮ網を第１優先とし、ＡＴＭ網を第２優先とする。それ以外の画像等のデータが入力された場合は、ＡＴＭ網を第１優先とし、フレームリレー網を第２優先とする。
【００３４】
但し、これら優先順位付けについては、後述のネットワーク管理部４０のトラヒック集計結果により可変することができ、保有する各種ＮＴＩＮＦの特性を効率的に使用することが可能となる。
【００３５】
また、これらの設定は様々に変更することが可能であり、例えば一つのＮＴ−ＩＮＦのみを使用することや、時間帯や障害発生に応じてダイナミックに変更することや、更にシステム構成に柔軟に対応することも可能である。
【００３６】
まず、振分制御部３１では、クライアントが出力するデータの属性（音声或いは非音声等のメディア）を識別し、上記優先順位及びメディアの識別と時々刻々変化するネットワークのトラヒック状況とに応じて最適ルーティングを決定しダイナミックルーティング情報とする。
【００３７】
メディアの識別に際しては、ＡＴＭ端末からのデータの場合では、一般的にシグナリング制御（ＡＴＭ−Ｆｏｒｕｍ  ＵＮＩ３．０又は３．１等）に準拠した手順により、ＶＣ（Ｖｉｒｔｕａｌ  Ｃｈａｎｎｅｌ）単位に音声データや、画像データ、更にそれ以外のパケットデータを識別する。ＩＳＤＮ端末からのデータの場合は、ＡＴＭと同様、ＩＳＤＮのシグナリング（ＩＴＵ−Ｔ  Ｑ．９３１等）を基に、音声データなのか、画像データなのか、それ以外のデータなのかを判定している。パケット端末にあっては、基本的には、ＴＣＰ／ＩＰプロトコルに準拠したパケットデータなどを一元的に扱っているため、論理コネクションでパケットデータの識別を行っている。
【００３８】
ＮＴ管理部４０では、振分制御部３１の要求に基づき各種ネットワークのトラヒック状態を検出し、その他ネットワークの対向局との中継路接続に必要な管理機能を有している。トラヒック監視方式の具体例としては、単位時間当たりに発生するセル数やパケット数を集計し、予め決められた値より高い場合はトラヒックオーバーとする方式がある。
【００３９】
また、ネットワーク上に本発明の装置が複数存在する場合にあっては、ＮＴ管理部４０間において制御情報の共有を行っている。例えば、音声データはどのパスをどのヘッダ情報で伝わっているかなどである。この制御方法の一例としてＩＴＵ−Ｔ  ＮＯ７信号方式などがある。
【００４０】
次に、図４を用いて各ＣＬＩＮＦの構成及び機能について説明する。
【００４１】
図４（ａ）は、ＡＴＭ−ＣＬＩＮＦ１０のブロック図を示すものであり、クライアントからデータを受信すると、ＡＴＭレイヤの終端回路１０ａにてＡＴＭセルのエラーチェック及びセル同期を行った後、データをＡＴＭヘッダ変換部１０ｂにおいてＡＴＭ制御インタフェース１０ｃを介して受けたダイナミックルーティング情報に従ってＡＴＭセルのヘッダの変換処理を行い振分部３０に出力する。振分部３０にＡＴＭセルを送出するに際しては、振分部３０に対してバス獲得要求を送出し、スイッチ制御部２７よりバス使用権を獲得しなければならない。
【００４２】
また、振分部３０からデータを受信する場合にあっては、予め決められたヘッダを有するＡＴＭセルのみをフィルタリングして取り込み、変換情報を基にヘッダを付け替えた後、クライアントに送出する。
【００４３】
図４（ｂ）に、パケット−ＣＬＩＮＦ１１のブロック図を示す。
【００４４】
クライアントＢが送出したパケットデータは、パケット−Ｌ１終端回路１１ａにて終端された後、可変長データを一定の長さを有する固定長データに変換し、パケットヘッダ情報を付加して１１０に送出される。一方、ネットワークの対向局から受信したデータについは、予め決められたパケットヘッダを有するパケットヘッダを有するパケットのみをフィルタリングして取り込み、更にそのパケットヘッダを削除してクライアントに送出される。
【００４５】
図４（ｃ）に、ＩＳＤＮ−ＣＬＩＮＦ１２のブロック図を示す。
【００４６】
クライアントＣから送出されたデータは、ＩＳＤＮの物理レイヤを終端するＩＳＤＮ−Ｌ１終端回路１２ａにて終端処理され、その終端されたＩＳＤＮデータのタイムスロット乗り換えを行うタイムスロット変換回路１２ｂはＴＤＭスイッチ２３にＩＳＤＮデータを送出する場合は、予め決められた１２０のタイムスロットに送出する。またＴＤＭスイッチ２３から１２０を介してデータを受信する場合は、予め決められたタイムスロットのデータのみを取り込む。
【００４７】
次に、振分部３０の構成及び動作について図５を用いて説明する。
【００４８】
振分部３０は、各ネットワークに対応するスイッチ２１〜２３と、ネットワーク間の相互乗り入れを可能とするための各種データ変換部２４〜２６と、振分部全体を制御するスイッチ制御回路２７とで構成され、振分制御部３１から受けたダイナミックルーティング情報に従って、受信データを必要あればデータ変換した後、スイッチ２１〜２３を切り替えることで各種クライアントと各種ネットワークとのパス接続を実行する。
【００４９】
データの振分方法としては、データの属性とネットワーク側のトラヒック状態を基に振り分けるダイナミック振り分け方法と予め固定した固定振り分け方法とを有する。
【００５０】
パスを接続する際には、振分制御部３１にて有するダイナミックルーティング情報に基づいて、スイッチ２１〜２３を切り替えることでパス接続を実行する。
【００５１】
すなわち、各スイッチ２１〜２３では、ダイナミックルーティング情報との照合の下、受信データを決められた方路に出力することになるが、ダイナミックルーティング情報の内容が同種のネットワーク間のパス接続を実行する場合にあっては、受信データをそのままスイッチ内のバス（図示せず）を経由してＮＴＩＮＦ或いはＣＬＩＮＦに出力する。一方、ダイナミックルーティング情報が異種ネットワーク間のパス接続を示す場合にあっては、該当する変換部２４〜２６にてデータ変換された後、スイッチ間での切り替えによりＮＴＩＮＦ或いはＣＬＩＮＦに出力する。
【００５２】
次に、図６を用いて、異種ネットワーク接続を可能とする各種データ変換部について説明する。
【００５３】
図６（ａ）は、セル／パケット変換部２４のブロック図であり、ＡＴＭセルをパケットデータに変換するセル／パケット変換回路２４ａと、パケットデータをＡＴＭセルに変換するパケット／セル変換回路２４ｂと、変換処理を制御するセル／パケット制御インタフェース２４ｃとにより構成される。
【００５４】
ＡＴＭセルをパケット化あるいはパケットデータをセル化するに際して、セル／パケット制御インタフェース部２４ｃには、振分制御部３１から予めダイナミックルーティング情報が与えられており、このダイナミックルーティング情報を基にインタフェース変換が行われる。
【００５５】
セル／パケット変換回路２４ａでは、信号線２４０からＡＴＭセルを受信すると、ダイナミックルーティング情報から検出したＡＴＭセルのヘッダー情報に対応するパケット用のヘッダー情報を検索し、ヘッダー情報を付加した後、生成されたパケット信号を信号線２４１に送出する。
【００５６】
パケットをセル化するに際しては、上記と逆の手順により、パケット／セル化部２４ｂにてＡＴＭセル化し、信号線２４０に送出する。
【００５７】
図６（ｂ）は、セル／ＴＤＭ変換部２５のブロック図であり、セルをＴＤＭ化するセル／ＴＤＭ変換回路２５ａと、ＴＤＭをセル化するＴＤＭ／セル変換回路２５ｂと、セル／ＴＤＭ制御インタフェース２５ｃとで構成され、振分制御部３１からセル／パケット制御インタフェース２５ｃを介して受けたダイナミックルーティング情報に従って、ＡＴＭセルをＴＤＭに変換あるいはその逆変換によりインタフェース変換が行われる。
【００５８】
具体的には、セル／ＴＤＭ変換回路２５ａでは、信号線２５０からＡＴＭセルを受信すると、ダイナミックルーティング情報にて有するＡＴＭセルのヘッダーを照合し、ＡＴＭヘッダー等の不要なデータを削除した後、タイムスロット位置にペイロード部のデータを挿入して信号線２５１に送出する。
【００５９】
一方、ＴＤＭデータをセル化する場合は、逆の手順によりＴＤＭ／セル変換回路２５ｂにてデータ変換される。変換されたＡＴＭセルは、信号線２５０に送出される。
【００６０】
図６（ｃ）は、パケット／ＴＤＭ変換部２６を示し、パケット／ＴＤＭ変換回路２６ａと、ＴＤＭ／パケット変換回路２６ｂと、パケット／ＴＤＭ制御インタフェース２６ｃとで構成され、振分制御部３１からパケット／ＴＤＭ制御インタフェース２６ｃを介して受けたダイナミックルーティング情報に従ってパケットデータをＴＤＭに変換あるいはその逆変換によりインタフェース変換が行われる。
【００６１】
具体的には、パケット／ＴＤＭ変換回路２６ａでは、信号線２６０からパケットデータを受信すると、ダイナミックルーティング情報から検出したパケットのヘッダー情報に対応するタイムスロット情報を検索し、ヘッダー等の不要な情報を削除した後、該当するタイムスロット位置に実データのみを挿入して信号線２６１に送出する。
【００６２】
一方、ＴＤＭをパケットに変換する場合は、ＴＤＭ／パケット変換回路２６ｂにて該当するタイムスロット位置のデータにパケットヘッダを付加することでＴＤＭデータをパケットに変換し、パケットデータを信号線２６０に送出する。
【００６３】
次に、図７に示す各種ＮＴＩＮＦの回路ブロック図を用いて動作について説明すると、ＮＴＩＮＦとＣＬＩＮＦは、インタフェースとしての基本機能は同一であり、相違点としては、ネットワーク毎のトラヒック状態を検出するトラヒック監視回路を有する点である。すなわち、トラヒック監視回路により検出されたトラヒック状態は、ＮＴ管理部４０に送出され、ダイナミックルーティング情報の決定要因となる。
【００６４】
次に、図８〜１２に示すフローチャートに基づき、各クライアントから送出されたデータのルーティングについて説明する。
【００６５】
まず、図８を用いて各クライアントからの発呼要求及びメディア種別に応じたネットワークルーティングについて説明する。
【００６６】
ＡＴＭクライアントから送出された場合であって、メディアの種別を認識した結果、音声データの場合は、ＩＳＤＮ網へルーティングするよう制御を行い（処理Ａに移行）、音声以外のデータの場合ＡＴＭ網へルーティングするよう制御を行う（処理Ｂに移行）。ＩＳＤＮクライアントから送出された場合も、ＡＴＭクライアントと同様のルーティングを試みる。
【００６７】
パケットクライアントから送出された場合であって、メディアの種別を認識した結果、音声の場合は、ＩＳＤＮ網へルーティングするよう制御を行い（処理Ａに移行）、画像データの場合ＡＴＭ網へルーティングするよう制御を行い（処理Ｂに移行）、それ以外のデータにあってはフレームリレー網へルーティングを試みる（処理Ｆに移行）。ここで、フローチャート上、Ｎについて定義しているが、これは、第１優先順位が輻輳中であるために第２優先順位にある網へのルーティング確認に移行する際に使用される。各フローチャートにおいて、Ｎが２であることは、第２優先順位にある網へのルーティング確認の結果、輻輳中であると判定され、クライアントデータのネットワーク送出が許可されない状況を示す。
【００６８】
次に、図９を用いてルーティング先がＡＴＭ網である場合について説明する。振分制御部３１は、ＮＴ管理部４０にＡＴＭ網のトラヒック状態の確認を依頼する。
【００６９】
その結果、下位の優先順位に従って輻輳無しの確認が得られると、ＮＴ管理部４０はＡＴＭ網の使用を許可するとともに、ネットワークの対向局とネゴシエーションし、ネットワーク上で使用するＶＣ値を決定し、振分制御部３１にルーティング情報として送出する。輻輳中の場合は、Ｎを＋１して処理Ｄに移行する。
【００７０】
次に、図１０に示すルーティング先がフレームリレー網である場合について説明する。
【００７１】
ＮＴ管理部４０は、ネットワークの対向局とフレームリレー回線の使用許可の調停を行う。その際、フレームリレーネットワークのトラヒック確認を行い輻輳無しの確認が得られると、ＮＴ管理部４０は、振分制御部３１に当該ネットワーク送出を許可し振分部３０にて使用するパケットヘッダ情報を渡す。
【００７２】
振分制御部３１は、各ＣＬＩＮＦに転送指示を出し、これをうけて送出されたデータは、パケットに変換された後ネットワークへ送出される。
【００７３】
次に、図１１を用いてルーティング先がＩＳＤＮ網である場合について説明する。
【００７４】
ＮＴ管理部４０は、ネットワークの対向局とＩＳＤＮ回線の使用許可の調停を行う。その際、ＩＳＤＮ網のトラヒック確認を行い輻輳無しの確認が得られると、ＮＴ管理部４０は、振分制御部３１に当該ネットワーク送出を許可し振分部３０にて使用するタイムスロット位置情報を渡す。
【００７５】
振分制御部３１は、各ＣＬＩＮＦに転送指示を出し、これをうけて送出されたデータは、パケットに変換された後ネットワークへ送出される。
【００７６】
次に、図１２を用いて、第１優先順位のネットワークが輻輳中のために第２優先順位のネットワーク送出を試みる場合について説明する。
【００７７】
まず、Ｎの値を確認し、Ｎの場合は全ネットワークのトラヒックが輻輳中であると判断し、ＮＴ管理部４０はクライアントに接続不許可を送出する。
【００７８】
Ｎが２で場合であって、かつ、パケットＣＬＩＮＦからの入力である場合は処理Ｂに示すＡＴＭ網への送出を試み、それ以外のクライアントからのデータであった場合は、処理Ｆに示すフレームリレー網への送出を試みる。
【００７９】
次に図１３に、各種クライアントが送出するデータのダイナミックルーティング情報の具体例を示し、これを用いて各部の動作を説明する。なお、図中にＯＮとあるのは、回路動作をＯＮする事を意味し、ＯＦＦは停止を意味する。
【００８０】
図１３（ａ）では、ＡＴＭセルのパスが２本張られた事を示す。ＡＴＭクライアントから入力されたＡＴＭヘッダ番号１／３０（この記号はＶＰ＝１で、ＶＣ＝３０を示す。）のセルはＡＴＭ−ＣＬＩＮＦ１０でＡＴＭセルヘッダ２／２５に変換され送出される。また、セル／パケット変換部２４がＯＮとなっているためＡＴＭセルヘッダ２／２５のセルはセル／パケット変換部２４を通過することになる。そして、セル／パケット変換部２４でパケットカプセリング化処理されパケットヘッダ情報ＡＡヘッダのパケットはパケット−ＮＴＩＮＦ５０を介してパケットネットワークに送出されることになる。
【００８１】
他方のＡＴＭヘッダ番号１／３５のセルは、ＡＴＭ−ＣＬＩＮＦ１０でＡＴＭセルヘッダ３／２５に変換され送出される。また、セル／ＴＤＭ変換部２５がＯＮとなっているためＡＴＭセルヘッダ３／２５のセルはセル／ＴＤＭ変換部２５を通過することになる。そしてセル／ＴＤＭ変換部２５でＴＤＭデータ化処理され予め設定されているＴＤＭスイッチ２３のタイムスロット１０のＴＤＭデータはＩＳＤＮ−ＮＴＩＮＦ５２を介してＩＳＤＮ−ＮＴに送出されることになる。
【００８２】
次に、図１３（ｂ）では、パケットのパスが２本張られたことを示す。パケットクライアントから入力されたパケット論理ヘッダ番号１０のパケットはパケット−ＣＬＩＮＦ１１でパケットスイッチ２２側ヘッダ５０のヘッダを付加しカプセリング化されて送出される。またセル／パケット変換部２４がＯＮとなっているためヘッダ５０のパケットはセル／パケット変換部２４を通過することになる。そしてセル／パケット変換部２４でＡＴＭセル化処理されセルヘッダ情報１０／２０が付加される。更に、ネットワーク側設定がＡＴＭ／ネットワーク機能ＯＮとなっているため、その１０／２０ヘッダのＡＴＭ−ＮＴＩＮＦ５０を介してＡＴＭ網に送出されることになる。
【００８３】
他方のパケット論理ヘッダ番号２０のパケットは、パケット−ＣＬＩＮＦ１１においてパケットスイッチ２２ヘッダ６０のヘッダを付加しカプセリング化されて送出されている。またパケット／ＴＤＭ変換部２６がＯＮとなっているためパケットヘッダ６０のパケットはパケット／ＴＤＭ変換部２６を通過することになる。そしてパケット／ＴＤＭ変換部２６でＴＤＭデータ化され予め設定されているＴＤＭスイッチ２３のタイムスロット３０に送出される。更に、ネットワーク設定がＩＳＤＮ「ＯＮ」となっているため、そのタイムスロット３０のＴＤＭデータはＩＳＤＮ−ＮＴＩＮＦ５２を介してＩＳＤＮ網に送出されることになる。
【００８４】
次に図１３（ｃ）では、ＩＳＤＮのパスが２本張られたことを示する。ＩＳＤＮクライアントから入力された回線番号１のＩＳＤＮデータはＩＳＤＮ−ＣＬＩＮＦ１２で、予め設定されたＴＤＭスイッチ２３側タイムスロット５に送出される。また、パケット／ＴＤＭ変換部２６がＯＮとなっているためタイムスロット５のＴＤＭデータはパケット／ＴＤＭ変換部２６を通過することになる。そしてパケット／ＴＤＭ変換部２６でカプセリング化されパケットヘッダＢＢが付加され、パケットスイッチ２２に送出される。更にネットワーク側設定がパケット「ＯＮ」となっているため、そのパケットヘッダＢＢのパケットはパケット−ＮＴＩＮＦ５１を介してフレームリレー網に送出されることになる。
【００８５】
回線番号２のＩＳＤＮデータは、ＩＳＤＮ−ＣＬＩＮＦ１２において、予め設定されたＴＤＭスイッチ２３のタイムスロット６に送出される。また、セル／ＴＤＭ変換部２５がＯＮとなっているためタイムスロット６のＴＤＭデータは、セル／ＴＤＭ変換部２５を通過することになる。そして、セル／ＴＤＭ変換部２５でセルヘッダ６／１０を付加しＡＴＭセル化処理され、ＡＴＭスイッチ部２１に送出される。更に、ネットワーク側設定がＯＮとなっているため、セル６／１０のＡＴＭセルはＡＴＭ−ＮＴＩＮＦ５０を介してＡＴＭ網に送出されることになる。
【００８６】
【発明の効果】
本発明によると、クライアントから送出されるデータを、そのメディアの種別に応じて振り分けるため、ネットワークリソースの有効利用を図ることができ、更にメディアの種別と網の特性を考慮して網を接続することで、ネットワークリソースをより効率的に利用できる。
【００８７】
また、各種網に対応するスイッチと、網間の相互乗り入れを可能とするデータ変換回路を儲け、トラヒック状況に応じたダイナミックルーティング情報に従ってスイッチ間の切替を制御するため、データ遅延を生ずることなく、データの連続性を容易に保持できる。
【図面の簡単な説明】
【図１】本発明を適用した経路選択型通信装置を取り入れたネットワークシステム。
【図２】メディアの種別に応じたデータ振分を示すフローチャート。
【図３】ダイナミックルーティング情報の優先順位例。
【図４】各種クライアントインタフェース１０〜１１のブロック図。
【図５】振分制御部３１のブロック図。
【図６】振分制御部３１が備える各種変換部２４〜２６のブロック図。
【図７】各種ネットワークインタフェース５０〜５２のブロック図。
【図８】クライアントからの発呼要求に基づくメディア種別の識別手順を示すフローチャート。
【図９】ルーティング先がＡＴＭ網の場合のフローチャート。
【図１０】ルーティング先がフレームリレー網の場合のフローチャート。
【図１１】ルーティング先がＩＳＤＮ網の場合のフローチャート。
【図１２】痔Ａ１優先順位のネットワークが輻輳中のため第２優先順位のネットワーク接続を試みる場合のフローチャート。
【図１３】ダイナミックルーティング情報の具体例。
【符号の説明】
１      経路選択型通信装置
１０    ＡＴＭ−ＣＬＩＮＦ
１０ａ  ＡＴＭ終端回路
１０ｂ  ＡＴＭヘッダ変換回路
１０ｃ  ＡＴＭ制御インタフェース
１１    パケット−ＣＬＩＮＦ
１１ａ  パケットＬ１終端回路
１１ｂ  パケット／カプセル変換回路
１１ｃ  パケット制御インタフェース
１２    ＩＳＤＮ−ＣＬＩＮＦ
１２ａ  ＩＳＤＮＬ１終端回路
１２ｂ  タイムスロット変換回路
１２ｃ  ＩＳＤＮ制御インタフェース
３０    振分部
３１    振分制御部
４０    ＮＴ管理部
５０    ＡＴＭ−ＮＴＩＮＦ
５０ａ  ＡＴＭヘッダ変換回路
５０ｂ  ＡＴＭ終端回路
５０ｃ  ＡＴＭ制御インタフェース回路
５０ｄ  ＡＴＭトラヒック監視回路
５１    パケット−ＮＴＩＮＦ
５１ａ  パケット／カプセル変換回路
５１ｂ  パケットＬ１終端回路
５１ｃ  パケット制御インタフェース
５１ｄ  パケットトラヒック監視回路
５２    ＩＳＤＮ−ＮＴＩＮＦ
５２ａ  タイムスロット変換回路
５２ｂ  ＩＳＤＮ終端回路
５２ｃ  ＩＳＤＮ制御インタフェース
５２ｄ  ＩＳＤＮトラヒック監視回路
２１    セルスイッチ
２２    パケットスイッチ
２３    ＴＤＭスイッチ
２４    セル／パケット変換部
２４ａ  セル／パケット変換回路
２４ｂ  パケット／セル変換回路
２４ｃ  セル／パケット制御インタフェース
２５    セル／ＴＤＭ変換部
２５ａ  セル／ＴＤＭ変換回路
２５ｂ  ＴＤＭ／セル変換回路
２５ｃ  セル／ＴＤＭ制御インタフェース
２６    パケット／ＴＤＭ変換部
２６ａ  パケット／ＴＤＭ変換回路
２６ｂ  ＴＤＭ／パケット変換回路
２６ｃ  パケット／ＴＤＭ制御インタフェース
２７    ＳＷ制御回路
【図１】
0003597049.tif 000002
【図２】
0003597049.tif 000003
【図３】
0003597049.tif 000004
【図４】
0003597049.tif 000005
【図５】
0003597049.tif 000006
【図６】
0003597049.tif 000007
【図７】
0003597049.tif 000008
【図８】
0003597049.tif 000009
【図９】
0003597049.tif 000010
【図１０】
0003597049.tif 000011
【図１１】
0003597049.tif 000012
【図１２】
0003597049.tif 000013
【図１３】
0003597049.tif 000014